(57)【要約】【課題】この発明は、簡単な操作で作動関係を解除し、手動で容易に移動し、格納函に収容ができる車両用乗降台装置におけるスライドフレーム駆動装置の提供にある。【解決手段】スライドフレームに電動モーターを配備し、その電動の回転を駆動軸に伝動し、駆動歯車と噛合するラックを支点に前記スライドするスライドフレーム駆動装置において、前記電動モーターから駆動軸に伝動する伝動機構のクラッチ機構を設け、このクラッチ機構をスライドフレームの適所外面に設けた操作部により作動して伝動機構の中途を解除可能に構成してなる。【選択図】        図２
2005013433.tif 000002
【特許請求の範囲】
【請求項１】
スライドフレームに電動モーターを配備し、その電動の回転を駆動軸に伝動し、駆動歯車と噛合するラックを支点に前記スライドするスライドフレーム駆動装置において、前記電動モーターから駆動軸に伝動する伝動機構のクラッチ機構を設け、このクラッチ機構をスライドフレームの適所外面に設けた操作部により作動して伝動機構の中途を解除可能に構成してなるスライドフレーム駆動装置。
【請求項２】
スライドフレームに電動モーターを配備し、その出力軸に固着した第１平歯車から第２平歯車を介して両端に駆動歯車を具えた駆動軸上の第３平歯車と噛合し、電動モーターの回転を駆動軸に伝動し、駆動歯車と噛合するラックを支点に前記スライド作動をスライドフレームになすスライドフレーム駆動装置において、前記第２平歯車をクラッチ歯車としてクラッチ軸上の定位置に規制遊支し、軸受部には軸方向にスライド自在に軸受され、その一端延長部にラック歯を設け、このラック歯と噛合する平歯車を先端部に有する操作軸を回転自在に軸受部に支承すると共に反対端の基端に回転操作用摘みを固着し、この回転操作用摘みをスライドフレームの前端外面に配備してなるスライドフレーム駆動装置。
【請求項３】
前記駆動軸は、左右に左駆動軸と右駆動軸に分割して設け、前記第３平歯車の部分でそれぞれの内端を付け合わせて接続し、左右駆動軸を同時に回転してなる請求項１または請求項２のスライドフレーム駆動装置。
【発明の詳細な説明】
【０００１】
【発明が属する技術分野】
この発明は、車椅子に乗車した状態で車両に乗降するための車両用乗降台装置に装備されるスライドフレーム駆動装置に関するものである。
【０００２】
【従来の技術】
従来、車両用乗降台装置に装備されるスライドフレーム駆動装置には、簡易、低コストの解除機構が付設されていなかった。
【０００３】
【発明が解決しようとする課題】
近年、この種、車両用乗降台装置に装備される福祉車両の増加にともない運行に従事する人材も専門技術者から一般のボランティアに移行している。そのため一旦作動が停止すると、その現場での復旧作業を行うことが殆どできなく運行上問題になっている。
【０００４】
この発明は、かかる要請に応えようとするもので、簡単な操作で作動関係を解除し、手動で容易に移動し、格納函に収容ができる車両用乗降台装置におけるスライドフレーム駆動装置の提供を目的になされたものである。
【０００５】
【課題を解決するための手段】
スライドフレームに電動モーターを配備し、その電動の回転を駆動軸に伝動し、駆動歯車と噛合するラックを支点に前記スライドするスライドフレーム駆動装置において、前記電動モーターから駆動軸に伝動する伝動機構のクラッチ機構を設け、このクラッチ機構をスライドフレームの適所外面に設けた操作部により作動して伝動機構の中途を解除可能に構成してなるスライドフレーム駆動装置にある。
【０００６】
スライドフレームに電動モーターを配備し、その出力軸に固着した第１平歯車から第２平歯車を介して両端に駆動歯車を具えた駆動軸上の第３平歯車と噛合し、電動モーターの回転を駆動軸に伝動し、駆動歯車と噛合するラックを支点に前記スライド作動をスライドフレームになすスライドフレーム駆動装置において、前記第２平歯車をクラッチ歯車としてクラッチ軸上の定位置に規制遊支し、軸受部には軸方向にスライド自在に軸受され、その一端延長部にラック歯を設け、このラック歯と噛合する平歯車を先端部に有する操作軸を回転自在に軸受部に支承すると共に反対端の基端に回転操作用摘みを固着し、この回転操作用摘みをスライドフレームの前端外面に配備してなるスライドフレーム駆動装置としてもよいものである。
【０００７】
前記駆動軸は、左右に左駆動軸と右駆動軸に分割して設け、前記第３平歯車の部分でそれぞれの内端を付け合わせて接続し、左右駆動軸を同時に回転してもよいものである。
【０００８】
【発明の実施の形態】
スライドフレームに電動モーターを配備し、その出力軸に固着した第１平歯車から第２平歯車を介して両端に駆動歯車を具えた駆動軸上の第３平歯車と噛合し、電動モーターの回転を駆動軸に伝動し、駆動歯車と噛合するラックを支点に前記スライド作動をスライドフレームになすスライドフレーム駆動装置において、前記第２平歯車をクラッチ歯車としてクラッチ軸上の定位置に規制遊支し、軸受部には軸方向にスライド自在に軸受され、その一端延長部にラック歯を設け、このラック歯と噛合する平歯車を先端部に有する操作軸を回転自在に軸受部に支承すると共に反対端の基端に回転操作用摘みを固着し、この回転操作用摘みをスライドフレームの前端外面に配備してなるスライドフレーム駆動装置。
【０００９】
【実施例】
以下、この発明のスライドフレーム駆動装置を実施例である図面により説明すると、スライドフレーム駆動装置１は、車両２の床下に取付けられた格納函３に配備されたスライドフレーム４に設けられ、スライドフレーム４をガイドレール５に沿って移動し、スライドフレーム４に接続する乗降台６を格納函３から外方へ繰出して昇降使用状態へのセッテングと、反対に乗降台６を格納函３内へ収納移動をなすものである。
【００１０】
前記スライドフレーム４と乗降台６の接続は、スライドフレーム４の左右側部４ａの前端にはリンク７、８をそれぞれに具えて、そのそれぞれの先端を乗降台６に連結支承し、リンク７、８の昇降回動により乗降台６を昇降作動する。
【００１１】
この発明のスライドフレーム駆動装置１は、スライドフレーム４に電動モーター９を配備し、その出力軸１０に固着した第１平歯車１１から第２平歯車１２を介して両端に駆動歯車１３ａ、１３ｂを具えた駆動軸１４上の第３平歯車１５と噛合し、電動モーター９の回転を駆動軸１４に伝動し、駆動歯車１３ａ、１３ｂと噛合するラック１６を支点に前記スライド作動をスライドフレーム４になすものである。
【００１２】
前記駆動軸１４は、左右に左駆動軸１４ａと右駆動軸１４ｂに分割して設け、前記第３平歯車１５の部分でそれぞれの内端を付け合わせて接続し、左右駆動軸１４ａ、１４ｂを同時に回転してもよいものである。
【００１３】
前記スライドフレーム４は、左右側部４ａの前後に離隔してコロ１７ａ、１７ｂを突設配備し、格納函３の左右側部３ａの内面に配備されるガイドレール５は、上方レール５ａと下方レール５ｂに分割して設け、その上方レール５ａと下方レール５ｂの間に前記コロ１７ａ、１７ｂを嵌合し、そのガイドレール５に沿って前後にスライド自在に設けている。そしてその下方レール５ｂの下面に前記ラック１６が設けられている。
【００１４】
クラッチ軸１８は、前記第２平歯車１２を軸上の定位置に規制遊支し、軸受部１９ａ、１９ｂには軸方向にスライド自在に軸受され、一端延長部１８ａにラック歯２０を設け、このラック歯２０と噛合する平歯車２１を先端部２２ａに有する操作軸２２を回転自在に軸受部２３ａ、２３ｂに支承すると共に反対端の基端２２ｂに回転操作用摘み２４を固着し、この回転操作用摘み２４を操作しやすいようにスライドフレーム４の前端外面に配備してなるものである。
【００１５】
この発明のスライドフレーム駆動装置１は、通常は、電動モーター９の回転で第２平歯車１２を介して第３平歯車１５から駆動軸１４に伝達し、駆動歯車１３ａ、１３ｂの回転で、ラック１６を支点にその回転方向にスライドフレーム４を移動されせるものである。
【００１６】
次に、電動モーター９が何らかの原因で回転を停止したとき、操作軸２２のロック機構、例えばロックナット２５ａ、２５ｂを緩めて解除し、操作軸２２を回転自在とした後、回転操作用摘み２４を回転すると、先端の平歯車２１がクラッチ軸１８のラック歯２０を出力軸１０上の第１平歯車１１と、駆動軸１４上の第３平歯車１５から噛み合いが外れるものである。そこで、スライドフレーム４はフリーとなるので、手動で自由にスライドすることができ、スライドフレーム４を移動し、乗降台６を格納函３に収納することができるのである。
【００１７】
ここで、簡単に乗降台６の作動の概略を説明すると、図６において、Ａの矢印で示す位置では、格納函３から乗降台６が繰出され、乗降台６は、基台フレーム６ａと可動フレーム６ｂから構成され、可動フレーム６ｂを引出しまたは繰出して最終端で所要の拡張した荷台面を持つ乗降台６を構成するものである。次に、前側フラッパー２６を起立し、また、車両側フラッパー２７を起立させた状態を示すものである。また、左右サイド手摺り２８（左サイド手摺りは反対側となるため図示しない）を基台フレーム６ａから図１に示すようにき起立し、その起立状態に固定して使用する。乗降台６を格納函３に格納するときにおいて、その起立状態を解除して基台フレーム６ａ上に倒してから格納する。
【００１８】
同じく図６において、Ｂの矢印で示す位置では、リンク７、８を下降回動させて乗降台６を路面２９に連接した後、前側フラッパー２６を倒して路面２９１から乗降台６に車椅子等を乗り入れまたは乗降台６から路面２９へ降りる状態を示すものである。
【００１９】
同じく図６において、Ｃの矢印で示す位置では、リンク７、８を上昇回動させて乗降台６を上昇し、車両２の床面３０に適合させた位置で停止し、車両側フラッパー２７を車両２の床面３０に乗降が可能なように伏倒した状態を示すものである。
【００２０】
【発明の効果】
この発明のスライドフレーム駆動装置は、以上のようになるから、スライドフレームが停止して乗降台を所定位置に格納できないという非常時に簡単・堅牢・安価な手段で対応することができるのである。
【００２１】
よって、この発明のスライドフレーム駆動装置は、技術的に困難性がなく、ボランティアが容易に取り扱えるもので、取り扱いに画期的
効果を奏するものである。
【図面の簡単な説明】
【図１】スライドフレームの中央部を省略し、格納函の左右側部の内面と係合する左右側部を主として示す平面図である。
【図２】この発明のスライドフレーム駆動装置の要部を示す部分平面図である。
【図３】同じく、図２のＡ−Ａ線に沿う断面側面図である。
【図４】第２平歯車の遊支状態およびクラッチ軸を示す平面図である。
【図５】格納函の左右側部の内面に配備するガイドレールとラックを示す部分斜視図である。
【図６】この発明のスライドフレーム駆動装置が装備される車両用乗降台の昇降作動を示す全体外観側面図である。
【符号の説明】
１  スライドフレーム駆動装置
２  車両
３  格納函
４  スライドフレーム
４ａ  左側部
４ａ  右側部
５  ガイドレール
５ａ  上方レール
５ｂ  下方レール
６  乗降台
６ａ  基台フレーム
６ｂ  可動フレーム
７  リンク
８  リンク
９  電動モーター
１０  出力軸
１１  第１平歯車
１２  第２平歯車
１３ａ  駆動歯車
１３ｂ  駆動歯車
１４  駆動軸
１４ａ  左駆動軸
１４ｂ  右駆動軸
１５  第３平歯車
１６  ラック
１７ａ  コロ
１７ｂ  コロ
１８  クラッチ軸
１８ａ  一端延長部
１９ａ  軸受部
１９ｂ  軸受部
２０  ラック歯
２１  平歯車
２２  操作軸
２２ａ  先端部
２２ｂ  基端
２３ａ  軸受部
２３ｂ  軸受部
２４  回転操作用摘み
２５ａ  ロックナット
２５ｂ  ロックナット
【図１】
2005013433.tif 000003
【図２】
2005013433.tif 000004
【図３】
2005013433.tif 000005
【図４】
2005013433.tif 000006
【図５】
2005013433.tif 000007
【図６】
2005013433.tif 000008